(57)【要約】【課題】被照射物に対する影の影響を抑えること。【解決手段】実施形態に係る照明装置は、支持部材と、点灯時に発光する発光面と、発光面の裏側の非発光面とを有し、発光面と交差する方向に光を透過する光源であって、地面側に発光するように支持部材に設けられた第１の光源と、を具備する。【選択図】図１
2016066492.tif 000002
【特許請求の範囲】
【請求項１】
支持部材と；
点灯時に発光する発光面と、当該発光面の裏側の非発光面とを有し、前記発光面と交差する方向に光を透過する光源であって、地面側に発光するように前記支持部材に設けられた第１の光源と；
を具備することを特徴とする照明装置。
【請求項２】
前記第１の光源と前記地面との間に第２の光源が設けられ、前記第２の光源は前記地面側に発光するように前記支持部材に設けられたことを特徴とする請求項１に記載の照明装置。
【請求項３】
前記第１の光源と前記地面との間に底壁が設けられ、前記第１の光源は前記底壁へ向かう方向に発光するように前記支持部材に設けられたことを特徴とする請求項１または２に記載の照明装置。
【請求項４】
前記支持部材は、光を透過する材料で構成された側壁であることを特徴とする請求項１〜３の何れか一に記載の照明装置。
【請求項５】
被照射物を囲むように設けられた側壁と；
点灯時に発光する発光面と、当該発光面の裏側の非発光面とを有し、前記発光面と交差する方向に光を透過する光源であって、前記被照射物へ向かう方向に発光するように前記側壁の少なくとも一部を構成する光源と；
を具備することを特徴とする照明装置。
【発明の詳細な説明】
【技術分野】
【０００１】
本発明の実施形態は、照明装置に関する。
【背景技術】
【０００２】
ショーケースは、光を透過する透明な部材を用いて形成され、内側に展示物が置かれる。例えば、ショーケースでは、電球などの照明装置が額縁周辺に設けられ、展示物が照らし出される。
【０００３】
また、近年では、照明装置の光源として、有機ＥＬ（Ｅｌｅｃｔｒｏ−Ｌｕｍｉｎｅｓｃｅｎｃｅ）を利用した有機発光ダイオード、即ち、ＯＬＥＤ（Ｏｒｇａｎｉｃ  Ｌｉｇｈｔ−Ｅｍｉｔｔｉｎｇ  Ｄｉｏｄｅ）が知られている。ＯＬＥＤを用いたＯＬＥＤパネルは、陽極と陰極との間に発光層が配設されており、陽極から正孔を注入し、陰極から電子を注入し、発光層でこれらを再結合することにより、その時に発生するエネルギによって発光する。
【０００４】
一般的なＯＬＥＤパネルの製造方法では、まず、１枚のマザーガラス内に、陽極にはＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）、導電性高分子などの透明電極を用い、陰極にはＡＬやＡｇ等の不透明な電極を順次成膜する。その後、封止キャップをＵＶ硬化樹脂等で接着することで複数のＯＬＥＤパネルを作製する。なお、作製されたＯＬＥＤパネルは、スクライブ装置等で切り出して小分けにされる。
【０００５】
ここで、ショーケースなどに配置された展示物などの被照射物をライトアップすることがある。ライトアップには、一般的に電球やＬＥＤなどの光源が用いられる。しかし、展示物にこれらの光源の光を照射することによって、展示物の周囲に影が生じ、それによって見栄えが悪くなることがある。
【先行技術文献】
【特許文献】
【０００６】
【特許文献１】特開２００８−１８６５９９号公報
【特許文献２】特開２００９−２０６０２８号公報
【発明の概要】
【発明が解決しようとする課題】
【０００７】
本発明が解決しようとする課題は、被照射物に対する影の影響を抑えることができる照明装置を提供することである。
【課題を解決するための手段】
【０００８】
実施形態の照明装置は、支持部材と、点灯時に発光する発光面と、当該発光面の裏側の非発光面とを有し、前記発光面と交差する方向に光を透過する光源であって、地面側に発光するように前記支持部材に設けられた第１の光源と、を具備する。
【発明の効果】
【０００９】
本発明によれば、被照射物に対する影の影響を抑えることができる。
【図面の簡単な説明】
【００１０】
【図１】図１は、実施形態に係る照明装置の上方斜視図である。
【図２】図２は、ＯＬＥＤパネルの詳細断面図である。
【図３】図３は、図２のＢ−Ｂ矢視図である。
【図４】図４は、ＯＬＥＤパネルの非点灯時の説明図である。
【図５】図５は、ＯＬＥＤパネルの点灯時の説明図である。
【図６】図６は、変形例に係る照明装置の側面図である。
【図７】図７は、変形例に係る照明装置の上方斜視図である。
【図８】図８は、変形例に係る照明装置の上方斜視図である。
【発明を実施するための形態】
【００１１】
以下で説明する実施形態に係る照明装置１は、支持部材と、点灯時に発光する発光面と、発光面の裏側の非発光面とを有し、発光面と交差する方向に光を透過する光源であって、地面側に発光するように支持部材に設けられた第１の光源と、を具備する。
【００１２】
また、以下で説明する実施形態に係る照明装置１では、第１の光源と地面との間に第２の光源が設けられ、第２の光源は地面側に発光するように支持部材に設けられてもよい。
【００１３】
また、以下で説明する実施形態に係る照明装置１では、第１の光源と地面との間に底壁が設けられ、第１の光源は底壁へ向かう方向に発光するように支持部材に設けられてもよい。
【００１４】
また、以下で説明する実施形態に係る照明装置１では、支持部材は、光を透過する材料で構成された側壁であってもよい。
【００１５】
また、以下で説明する実施形態に係る照明装置１は、被照射物を囲むように設けられた側壁と、点灯時に発光する発光面と、発光面の裏側の非発光面とを有し、発光面と交差する方向に光を透過する光源であって、被照射物へ向かう方向に発光するように側壁の少なくとも一部を構成する光源を具備してもよい。
【００１６】
〔実施形態〕
まず、図１を用いて実施形態に係る照明装置１を説明する。図１は、実施形態に係る照明装置１の側面図である。本実施形態に係る照明装置１は、被照射物に光を照らすショーケースの例である。図１に示すように、照明装置１は、本体５と、光源１００とを具備する。
【００１７】
図１の例では、本体５は、底壁１０と、側壁５０と、上壁７０（支持部材の一例に相当）とを有する。底壁１０、側壁５０及び上壁７０は、例えば、ガラスや透明な樹脂材料等の光を透過する材料によって形成される。なお、底壁１０及び側壁５０は、透明な材料によって形成されなくてもよい。
【００１８】
底壁１０は、照明装置１の底に設けられる平板状の板である。側壁５０は、照明装置１の側面に設けられる平板状の板である。例えば、側壁５０は、底壁１０を囲み、底壁１０と直交するように、底壁１０の端部に設けられる。なお、底壁１０は、必ずしも必要ではなく、例えば机や台であってもよい。また、側壁５０は、少なくとも２面あればよく、必ずしも４面である必要ない。上壁７０は、照明装置１の上面に設けられる平板状の板である。例えば、上壁７０は、側壁５０と直交するように設けられる。また、上壁７０は、底壁１０と対向するように、底壁１０と離間して設けられる。また、上壁７０は、下面７０ａと、上面７０ｂとを有する。なお、図１の例では、底壁１０上に展示物Ｄ１（被照射物の一例に相当）が置かれている。
【００１９】
光源１００は、点灯時に発光する発光面１００ａと、発光面１００ａの裏側の非発光面１００ｂとを有し、発光面１００ａと交差する方向に光を透過する。発光面１００ａは全体の６０％以上、望ましくは９０％以上の光が出光する面である。また、非発光面１００ｂは全く光を出光しない面に限らず、発光面１００ａよりも発光が少ないことを意味するものである。例えば、光源１００から出光する光を１００としたとき、発光面１００ａが９０、非発光面１００ｂが１０程度の場合も許容する。
【００２０】
光源１００は、地面側に発光するように上壁７０に設けられる。例えば、光源１００は、光源１００と地面との間に設けられた底壁１０へ向かう方向に発光するように上壁７０に設けられる。図１の例では、光源１００は、底壁１０へ向かうＸ方向に発光するように上壁７０に設けられる。具体的には、光源１００は、発光面１００ａが底壁１０と対向するように上壁７０に設けられる。図１の例では、光源１００は、発光面１００ａが下向きになるように上壁７０に設けられる。また、図１の例では、光源１００は、上壁７０の下面７０ａに設けられる。なお、上壁７０は光源１００が兼ねても良い。すなわち、光源１００を光透過性のアクリルやガラスなどで保護することで展示品を配置できる程度の強度を維持しつつ、光を透過可能な構成とすることができれば、上壁７０はなくてもよい。また、光源１００は１枚に限らず、複数枚配置しても良い。
【００２１】
上記のとおり、光源１００は、非点灯時には光を透過する。このため、非点灯時には、人は、発光面１００ａ側から非発光面１００ｂ側に置かれたものを光源１００を介して視ることができる。また、非点灯時には、人は、非発光面１００ｂ側から発光面１００ａ側に置かれたものを光源１００を介して視ることができる。一方、光源１００は、点灯時には、発光面１００ａから発光する。このため、点灯時には、発光面１００ａが発光しているので、人は、発光面１００ａ側から非発光面１００ｂ側に置かれたものを視ることができない。一方、点灯時には、非発光面１００ｂ側は発光していないので、人は、非発光面１００ｂ側から発光面１００ａ側に置かれたものを光源１００を介して視ることができる。
【００２２】
このような光源１００は、例えば、ＯＬＥＤパネルである。一例としては、光源１００は、消灯時は光透過性を有し、点灯時は一方側の面のみが発光するＯＬＥＤパネルである。つまり、点灯時には発光面１００ａ側から発光するとともに、非発光面１００ｂ側から発光面１００ａ側へ光を透過するＯＬＥＤパネルである。ＯＬＥＤパネルを透過する光の透過率は３０％以上であるのが望ましい。図１の例では、光源１００は、点灯時には、展示物Ｄ１を照らす。ここで、ＯＬＥＤパネルは、点灯時でも非発光面１００ｂ側から発光面１００ａ側へ光を透過するので、点灯時でも非発光面１００ｂ側から発光面１００ａ側の展示物を観賞することを可能とする。なお、光源１００はＯＬＥＤに限らず、導光板とＬＥＤなどの光源を組み合わせた面状光源であっても良い。
【００２３】
例えば、電球などの照明装置が額縁周辺に設けられるショーケースでは、展示物が斜め上方から照らし出されるので、影が大きく映し出される。また、展示物の真上に照明装置が設けられた場合には、ショーケースの上から見ると照明装置自体が視界を遮るため展示物を視ることができないので、照明装置の最適な配置が困難である。一方、本実施形態における照明装置１は、点灯時でも光源１００の非発光面１００ｂ側から発光面１００ａ側に光を透過するので、照明装置１自体が視界を遮ることなく展示物の真上に設けることができる。このため、照明装置１は、展示物の影を小さくすることができるとともに、容易な配置で展示物をショーケースの上から観賞することを可能とする。
【００２４】
ここで、光源１００の一例であるＯＬＥＤパネル１００について図２〜５を用いて説明する。図２は、ＯＬＥＤパネル１００の詳細断面図である。ＯＬＥＤパネル１００は、光を透過するガラス材料からなる板状の部材であるガラス基板３０上に、正孔を伝導する陽極２２と、電子を伝導する陰極２３とが配設されており、発光させる部分で、正孔輸送層２４と電子輸送層２５と発光層２６とが積層されることにより形成されている。このうち、正孔輸送層２４は、陽極２２で伝導された正孔を輸送することが可能になっており、陽極２２におけるガラス基板３０側の反対側に積層されている。
【００２５】
また、電子輸送層２５は、陰極２３で伝導された電子を輸送することが可能になっており、正孔輸送層２４における、陽極２２側の反対側に位置している。また、発光層２６は、積層方向において正孔輸送層２４と電子輸送層２５との間に位置しており、正孔輸送層２４で輸送した正孔と、電子輸送層２５で輸送した電子とが発光層２６で結合することにより、発光層２６の発光材料が発光することが可能になっている。
【００２６】
また、陰極２３は、正孔輸送層２４、発光層２６、電子輸送層２５が積層される部分では、ガラス基板３０から離れ、電子輸送層２５における発光層２６側の反対側の面に配設されている。具体的には、陰極２３は、ガラス基板３０に積層されている部分から離れ、積層されている陽極２２、正孔輸送層２４、発光層２６、電子輸送層２５との間に絶縁部２７を介在させて、電子輸送層２５における発光層２６側の反対側の面にかけて配設されている。これにより、陰極２３は、当該陰極２３で伝導する電子を、電子輸送層２５のみに対して受け渡すことが可能になっている。
【００２７】
このように、ガラス基板３０における一方の面に配設される陽極２２や陰極２３、正孔輸送層２４、発光層２６、電子輸送層２５が積層される側の面には、これらが配設された状態で、封止ガラス３１が配設され、封止部材３２により支持されている。例えば、封止ガラス３１は、ガラス基板３０と同様にガラス材料によって形成される等、光を透過する材料によって板状に形成されている。
【００２８】
また、封止部材３２も同様に光を透過する材料からなり、ガラス基板３０における陽極２２や陰極２３等が配設されている側の面に、封止部材３２を介在させて封止ガラス３１を重ねることにより、ガラス基板３０側に対して封止ガラス３１を支持する部材になっている。陽極２２や陰極２３等が配設されたガラス基板３０は、封止部材３２を介して封止ガラス３１を配設し、さらに双方の間に光を透過する封止剤３４を封入することにより、ガラス基板３０における各部材が配設された側の面を封止する。
【００２９】
このように形成されるＯＬＥＤパネル１００は、ガラス基板３０側と封止ガラス３１側とのうち、ガラス基板３０側が、ＯＬＥＤパネル１００の点灯時に光を照射する発光面１００ａになっている。即ち、ＯＬＥＤパネル１００は、ガラス基板３０における、陽極２２等が配設される側の反対側の面が、発光面１００ａになっている。言い換えると、発光面１００ａは、非発光面１００ｂの裏側の面である。ＯＬＥＤパネル１００は、発光面１００ａが下方側に面し、封止ガラス３１側が連通孔１５内に位置する向きで、連通孔１５の一端側に配設されている。
【００３０】
また、ＯＬＥＤパネル１００を構成する部材のうち、陽極２２は、例えば透明導電膜であるＩＴＯ（Ｉｎｄｉｕｍ  Ｔｉｎ  Ｏｘｉｄｅ）電極が用いられている。また、正孔輸送層２４、発光層２６、電子輸送層２５も、光を透過する材料によって形成されることにより、または、薄膜であることにより、光を透過することが可能になっている。一方、陰極２３はアルミニウムや銀等の、電気伝導率が高く、光を透過せずに反射する高反射部材により形成されている。
【００３１】
図３は、図２のＢ−Ｂ矢視図である。高反射部材により形成される陰極２３は、例えば微細配線となって、所定の配線パターンで形成されており、ＯＬＥＤパネル１００を厚さ方向に見た場合、隣り合う陰極２３と陰極２３との間は、空隙３６なっている。陰極２３は、光を透過しない部材によって形成される一方、他の部材は光を透過するようになっているため、ＯＬＥＤパネル１００を厚さ方向に見た場合は、陰極２３の位置では光を透過せず、陰極２３と陰極２３との間の空隙３６では、光を透過することが可能になっている。このため、ＯＬＥＤパネル１００は、このように光が空隙３６を透過することにより、非点灯時は光を透過することが可能になっている。なお、ＯＬＥＤパネル１００を厚さ方向に見た場合における陰極２３と空隙３６との割合は、所望の光の透過率に応じて適宜設定するのが好ましい。また、陰極２３は、ストライプ状に限らず、格子状などでもよい。
【００３２】
実施形態に係る照明装置１は、以上のごとき構成からなり、以下、その作用について説明する。図４は、ＯＬＥＤパネル１００の非点灯時の説明図である。非点灯時は、ＯＬＥＤパネル１００には電気が印加されず、正孔や電子が供給されないため、発光層２６では発光が行われない。この状態では、ＯＬＥＤパネル１００から照射する光はないため、ＯＬＥＤパネル１００の近傍にいる人は、ＯＬＥＤパネル１００における光を透過する部分を透過した光を視認することができる。
【００３３】
つまり、ＯＬＥＤパネル１００に対して厚さ方向に入射する光は、陰極２３のみで遮光され、空隙３６の部分では透過する。このため、ＯＬＥＤパネル１００におけるガラス基板３０側にいる人は、封止ガラス３１側からガラス基板３０側に向かい、空隙３６を透過してから電子輸送層２５、発光層２６、正孔輸送層２４、陽極２２を透過し、さらにガラス基板３０を透過する透過光Ｔを視認することができる。同様に、ＯＬＥＤパネル１００における封止ガラス３１側にいる人は、ガラス基板３０側から封止ガラス３１側に向かい、空隙３６を透過した透過光Ｔを視認することができる。
【００３４】
図５は、ＯＬＥＤパネル１００の点灯時の説明図である。ＯＬＥＤパネル１００を点灯させる際には、ＯＬＥＤパネル１００に電気を印加する。これにより、陽極２２では正孔を伝導し、伝導した正孔は、正孔輸送層２４によって発光層２６に向けて輸送する。また、陰極２３では電子を伝導し、伝導した電子は、電子輸送層２５によって発光層２６に向けて輸送する。正孔輸送層２４で輸送された正孔と、電子輸送層２５で輸送された電子とが発光層２６に運び込まれると、これらの正孔と電子とは、発光層２６で結合する。これにより、発光層２６の発光材料が発光する。
【００３５】
発光層２６で発光した光のうち、ガラス基板３０側に向かう光は、正孔輸送層２４や、透明電極からなる陽極２２を透過し、さらにガラス基板３０を透過することにより、照射光Ｌとして発光面１００ａから出射する。
【００３６】
一方、発光層２６で発光した光のうち、封止ガラス３１側に向かう光は、電子輸送層２５を透過して陰極２３に到達する。陰極２３は、光を透過しないで反射する高反射部材により形成されているため、陰極２３に到達した光は、陰極２３で反射される。陰極２３で反射された光は、ガラス基板３０側の方向に向かい、発光層２６からガラス基板３０側に向かう光と同様に、照射光Ｌとして発光面１００ａから出射する。ＯＬＥＤパネル１００の点灯時は、このように照射光Ｌが発光面１００ａから出射することにより、発光面１００ａが位置する側の方向に光が照射される。
【００３７】
また、ＯＬＥＤパネル１００の点灯時においても、空隙３６を透過することにより光はＯＬＥＤパネル１００を透過する。このため、封止ガラス３１側からＯＬＥＤパネル１００に入射した光は、ＯＬＥＤパネル１００を透過する透過光Ｔとなってガラス基板３０側に透過する。
【００３８】
しかし、封止ガラス３１側からガラス基板３０側に透過する透過光Ｔは、ＯＬＥＤパネル１００の点灯時に発光面１００ａから出射する照射光Ｌに対して、光量が少なくなっている。このため、ガラス基板３０側にいる人は、封止ガラス３１側からガラス基板３０側に向かう透過光Ｔを視認することは困難なものとなっている。つまり、ＯＬＥＤパネル１００の点灯時の照射光Ｌは、封止ガラス３１側からガラス基板３０側に向かう透過光Ｔよりも、光量が多いため、この透過光Ｔは、照射光Ｌにかき消されてしまう。このため、ＯＬＥＤパネル１００におけるガラス基板３０側にいる人は、封止ガラス３１側からガラス基板３０側に向かう透過光Ｔを視認することが非常に困難、或いは、視認することが出来なくなっている。一方、ＯＬＥＤパネル１００における封止ガラス３１側にいる人は、ガラス基板３０側から封止ガラス３１側に向かう透過光Ｔを視認することができる。
【００３９】
このように、ＯＬＥＤパネル１００の点灯時は、ガラス基板３０側、即ち、発光面１００ａ側から照射光Ｌを照射し、ガラス基板３０側から封止ガラス３１側に透過する透過光Ｔのみを視認することが可能になっている。
【００４０】
以上の実施形態に係る照明装置１は、底壁へ向かう方向に発光するように上壁に光源１００が設けられる。光源１００は略均一に発光する面光源であるので、被照射物に対する影の影響を抑えることができる。例えば、照明装置１は、光源１００の発光面１００ａを展示物の真上に設けることができるので、展示物の影の面積を小さくすることができる。
【００４１】
また、照明装置１は、点灯時にも非発光面１００ｂ側から発光面１００ａ側に光を透過することができるので、点灯時でも光源１００の非発光面１００ｂ側から発光面１００ａ側にある展示物を、光源１００によって光が照らされた状態で観賞することができる。
【００４２】
〔変形例〕
上述した照明装置１は、上壁７０に光源１００が設けられる例を示した。ここで、照明装置１は、上壁７０に限らず、他の位置に光源１００が設けられてもよい。具体的には、照明装置１は、第１の光源と地面との間に第２の光源が設けられ、第２の光源は地面側に発光するように支持部材に設けられてもよい。より具体的には、光源１００は、底壁１０に向かう方向に発光するように上壁７０と底壁１０との間に設けられた中板に設けられてもよい。言い換えると、照明装置１は、２段以上の多段のショーケースにおいて、底壁１０と上壁７０との間の中板に光源１００が設けられてもよい。
【００４３】
この点について、図６及び図７を用いて説明する。図６は、変形例に係る照明装置２の側面図である。図６の例では、照明装置２は、本体の内部が上段Ｃ１と下段Ｃ２の２段に分けられた多段のショーケースの例である。図６に示すように、照明装置２は、本体７と、光源１００１と、光源１００２とを具備する。
【００４４】
本体７は、図１に示す本体５と比較して、中板９０をさらに有する。中板９０は、上壁７０と底壁１０との間に設けられた平板状の板である。言い換えると、中板９０は、上壁７０及び底壁１０と対向するように離間して設けられた平板状の板である。本実施形態では、中板９０は、上段のケースの底壁である。また、図６の例では、中板９０は、側壁５０と直交するように設けられる。中板９０は、底壁１０及び上壁７０と対向する下面９０ａと、底壁１０及び上壁７０と対向する上面９０ｂとを有する。例えば、中板９０は、ガラスや透明な樹脂材料等の光を透過する材料によって形成される。中板９０は、下段に配置されるケースの上壁が兼ねていてもよい。また、底壁、側壁および底壁に向かう方向に発光するように、底壁に対向配置されてなるショーケースを、二段、三段と積み重ねることで図６のような多段のショーケースを構成してもよい。
【００４５】
図６の例では、中板９０上に展示物Ｄ１が置かれている。また、底壁１０上に展示物Ｄ２が置かれている。すなわち、図６の例では、上段Ｃ１と下段Ｃ２のそれぞれの段に展示物が置かれている。
【００４６】
光源（第１の光源）１００１及び光源（第２の光源）１００２は、ＯＬＥＤパネル１００が採用される。光源１００１は、中板９０へ向かうＸ方向に発光するように上壁７０に設けられる。すなわち、光源１００１は、発光面１００ａが下向きになるように上壁７０に設けられる。図６の例では、光源１００１は、上壁７０の下面７０ａに設けられる。光源１００２は、光源１００１と地面との間に設けられる。また、光源１００２は、地面側に発光するように中板９０（支持部材の一例）に設けられる。図１の例では、光源１００２は、底壁１０へ向かうＸ方向に発光するように中板９０に設けられる。すなわち、光源１００２は、発光面１００ａが下向きになるように中板９０に設けられる。図６の例では、光源１００２は、中板９０の下面９０ａに設けられる。なお、中板９０は光源１００２が兼ねてもよい。すなわち、光源１００２を光透過性のアクリルやガラスなどで保護することで展示品を配置できる程度の強度を維持しつつ、光を透過可能な構成とすることができれば、中板９０はなくてもよい。
【００４７】
図７は、変形例に係る照明装置２の上方斜視図である。図７の例では、光源１００としてＯＬＥＤパネル１００が採用されている例である。また、図７の例では、光源１００は、点灯している例である。
【００４８】
図７に示すように、光源１００１は、棚板９０上に設けられた展示物Ｄ１を照らす。光源１００２は、底壁１０上に設けられた展示物Ｄ２を照らす。ここで、照明装置２は、光源１００１及び光源１００２にＯＬＥＤパネル１００を採用しているので、点灯時でも非発光面１００ｂ側から発光面１００ａ側へ光を透過する。このため、照明装置２は、光源１００１の非発光面１００ｂ側から展示物Ｄ１及び展示物Ｄ２を観賞することができるので、上段Ｃ１だけに限らず下段Ｃ２にも展示物を飾ることができる。これにより、照明装置２は、意匠性を向上させることができる。
【００４９】
また、一般的に、多段のショーケースにおいて、ガラスなどの透明な中板上に設けられた上段の展示物を照らすと、かかる中板の下に設けられた下段の展示物に上段の展示物の影がかかる。ここで、変形例に係る照明装置２では、光源１００１は、展示物Ｄ１を真上から照らすことで展示物Ｄ１の影を小さくすることができるので、展示物Ｄ２にかかる展示物Ｄ１の影を小さくすることができる。
【００５０】
また、照明装置２が高い場所に配置される場合には、底壁１０に発光面１００ａが光源１００１の発光面１００ａと対向するように光源１００を配置するようにしても良い。この場合には、展示物に下から光を照射した状態で、展示物を見ることができる。この場合においても、光源１００が底壁１０を兼ねてもよい。また、光源１００は側壁５０の少なくとも一面にさらに設けてもよい。また、側壁５０の少なくとも一面は鏡面としてもよい。
【００５１】
また、上述した照明装置１及び照明装置２は、ショーケースとして展示物を展示する例を示した。ここで、照明装置１及び照明装置２は、ショーケースに限らず、各種の用途で適用されてもよい。
【００５２】
例えば、照明装置１及び照明装置２は、植物を育成する発光装置として適用されてもよい。この場合、照明装置１及び照明装置２には、植物が底壁１０や中板９０に配置される。また、照明装置１及び照明装置２は、上壁１０や中板９０にＯＬＥＤパネル１００が設けられる。
【００５３】
これにより、ＯＬＥＤパネル１００は、底壁１０や中板９０に配置された植物に光を照射することができるので、植物を育成することができる。また、照明装置１及び照明装置２は、ＯＬＥＤパネル１００が点灯時でも消灯時でも非発光面１００ｂ側から発光面１００ａ側へ光を透過することができるので、外光、例えば太陽光をＯＬＥＤパネル１００を介して植物に浴びせることができる。なお、照明装置１及び照明装置２は、植物を育成する照明装置として用いる場合などには、側壁５０は必須ではなく、上壁１０や中板９０を保持する、例えば柱状の保持部によって代用されても良い。図８は、変形例に係る照明装置３の上方斜視図である。図８に示すように、照明装置３は、図７に示す側壁５０の代わりに保持部５１ａ〜５１ｄを有する。上壁７０及び中板９０は、光を透過するガラスなどによって構成される。また、上壁７０及び中板９０の下面には、光源１００が設けられる。これにより、照明装置３は、上面及び側面から被照射物を視ることを可能とする。
【００５４】
また、照明装置１及び照明装置２は、被照射物を囲むように設けられた側壁５０と、点灯時に発光する発光面１００ａと、発光面１００ａの裏側の非発光面１００ｂとを有し、発光面１００ａと交差する方向に光を透過する光源であって、被照射物へ向かう方向に発光するように側壁５０の少なくとも一部を構成する光源１００とを具備してもよい。このような照明装置１及び照明装置２は、例えば、水槽として適用されてもよい。この場合、照明装置１及び照明装置２には、本体の内側に水と魚とが入れられる。側壁５０は、光を透過する材料で構成される。また、側壁５０は、支持部材として光源１００を支持する。すなわち、照明装置１及び照明装置２は、例えば、側壁５０にＯＬＥＤパネル１００が設けられる。ここで、ＯＬＥＤパネル１００は、発光面１００ａが本体の内側を向くように側壁５０に設けられる。なお、側壁５０は、光源１００が兼ねてもよい。
【００５５】
これにより、照明装置１及び照明装置２は、本体の外側から魚を観賞することを可能としつつ魚をライトアップすることができるので、観賞者の視覚を通じて起こされる美感を高めることができる。
【００５６】
また、他の例では、ＯＬＥＤパネル１００は、ポスターなどの展示物の正面側に設けられてもよい。これにより、ＯＬＥＤパネル１００は、ポスターをライトアップすることができるので、ポスターを目立たせることができる。例えば、ＯＬＥＤパネル１００は、ポスターの一部分に設けられてもよい。この場合、ＯＬＥＤパネル１００は、ポスターの一部分に限定してライトアップすることができるので、ポスターのうち重要な箇所などを部分的に強調することができる。
【００５７】
また、上述した照明装置１及び照明装置２は、平板状の板に限らず、各種の形状の板によって底壁１０、側壁５０、上壁７０及び中板９０が形成されてもよい。例えば、底壁１０、側壁５０、上壁７０及び中板９０は、湾曲した形状の板によって形成されてもよい。これにより、照明装置１及び照明装置２は、各種の形状のショーケースに適用することができる。
【００５８】
また、上述した照明装置２は、２段のショーケースに限らず、３段以上の多段のショーケースであってもよい。例えば、照明装置２は、底壁１０と上壁７０との間に複数の中板９０が設けられてもよい。この場合、複数の全ての中板９０や複数の中板９０のうち一部の中板９０に光源１００が設けられる。これにより、照明装置２は、例えば、底壁１０や各中板９０の上に展示物を置くことで複数の展示物を展示することができるとともに、意匠性を高めることができる。
【００５９】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６０】
１  照明装置
５  本体
１０  底壁
５０  側壁
７０  上壁
９０  中板
１００  光源
【図１】
2016066492.tif 000003
【図２】
2016066492.tif 000004
【図３】
2016066492.tif 000005
【図４】
2016066492.tif 000006
【図５】
2016066492.tif 000007
【図６】
2016066492.tif 000008
【図７】
2016066492.tif 000009
【図８】
2016066492.tif 000010